(57)【特許請求の範囲】
【請求項１】
もとの画像に属する光ビームを６つの原色成分に分割するよう構成された、複数のビーム分割要素および複数のカラースプリッタを有する６原色プリズムであって、前記ビーム分割要素はもとの画像に属する前記光ビームを三つの成分に分割するよう構成され、該三つの成分のそれぞれは前記カラースプリッタによって二つの成分に分割される、６原色プリズムと；
前記６つの原色成分の各々についての別個のマイクロディスプレイデバイスとを有するプロジェクタであって、
前記マイクロディスプレイデバイスは、前記原色成分の出力画像の少なくとも第一の領域が、前記画像の少なくとも第二の領域とは異なるスペクトルパワー分布をもち、前記もとの画像における同じ色が、前記第一の領域と前記第二の領域の間で、人間の光学系には同じ色として知覚されるが、映像記録装置には異なる色として検出されるようにするよう制御される、
プロジェクタ。
【請求項２】
請求項１に記載のプロジェクタであって、少なくとも一つの出力色について、人間の光学系には同じ色として知覚されるが映像記録装置には異なる色として検出される前記原色成分の二つ以上の組み合わせを有するルックアップテーブルを更に有する、プロジェクタ。
【請求項３】
請求項１に記載のプロジェクタであって、前記映像記録装置がＲＧＢ型映像記録装置である、プロジェクタ。
【請求項４】
請求項２に記載のプロジェクタであって、前記映像記録装置がＲＧＢ型映像記録装置である、プロジェクタ。
【請求項５】
請求項１に記載のプロジェクタであって、前記第一の領域および前記第二の領域が前記映像記録装置により検知可能である斜めの複数のストライプをなす、プロジェクタ。
【請求項６】
請求項１に記載のプロジェクタであって、前記第一の領域および前記第二の領域が前記映像記録装置により検知可能であるメッセージのパターンをなす、プロジェクタ。
【請求項７】
請求項２に記載のプロジェクタであって、前記プロジェクタは、出力色の少なくとも１つについて前記ルックアップテーブルにおいて前記組み合わせの二つ以上を選択する及び用いるようにデザインされたプロセッサを有する、プロジェクタ。
【請求項８】
請求項１ないし７のうちいずれか一項に記載のプロジェクタであって、前記６つの原色成分は、赤色成分、緑色成分、青色成分、黄色成分、橙色成分及びシアン色成分を有する、プロジェクタ。
【請求項９】
請求項１ないし８のうちいずれか一項に記載のプロジェクタであって：
異なる偏光部分を有する半透明の回転可能なドラム；
を更に有するプロジェクタであり、
前記光ビームは前記ドラムの壁に対して実質的に垂直に透過されることが可能である；
プロジェクタ。
【発明の詳細な説明】
【技術分野】
【０００１】
本発明は映像記録防止システムに関する。特に、本発明は、条件等色が同じ知覚色をもたらす少なくとも２つの異なるスペクトルの組み合わせの一として規定される映像記録防止プロジェクタに基づくメタメリズムに関する。
【背景技術】
【０００２】
携帯性の高いビデオカメラの出現は、よく映画を観に行くひと達が映画館で上映される映画の映像コンテンツを不当に及び不正に捕捉することを可能にしている。そのような行為に対処するように、一部の映画館は、ビデオカメラにより捕捉された映像を劣化させる又は映画コンテンツの記録を防止するシステムを組み込んでいる。例えば、一部の映画館は、紫外光又は赤外光を用いることを採用し、それらの両者は人間の視覚系には可視的でないが、典型的なビデオカメラにより検出可能及び記録可能である。残念ながら、映像記録を防止する又は劣化させるための紫外光及び／又は赤外光を使用することは、よく映画を観に行くひと達が彼等のビデオカメラにより適切な特定のフィルタを組み込むときに、容易に無効にされることが可能である。映像を記録させないようにする他の試みは、例えば、映像の劣化の一部として典型的なビデオカメラにより検出可能な及び記録可能な著作権侵害の警告を与えることが可能である周波数変調を用いることである。残念ながら、周波数変調方法は、観客に不快な視聴経験をもたらす、人間の光学系に可視的なフリッカをもたらすものである。
【０００３】
映画館のプロジェクションシステム及びビデオカメラがＲＧＢ色空間に基づいて動作する場合、プロジェクタ機構（ＭＰ）により処理されるＲＧＢベースのプロジェクタへの画素入力（［ＲＩＧＩＢＩ］）についての情報は、ビデオカメラ機構（ＭＣ）により処理されるＲＧＢベースのビデオカメラの画素出力（［ＲＯＧＯＢＯ］）に適切に変換可能であるように示されることが可能である。従って、映画コンテンツの許可されていない映像記録を防止するための他の試みが、異なる投影されるスペクトルの組み合わせが条件等色であることが可能であるように及び典型的なビデオカメラと互換性がないことが可能であるように、余分な原色（第２プロジェクタの使用を含むことが可能である）を導入することにより行われた。（最も簡単な用語において、“条件等色（ｍｅｔａｍｅｒ）”は、他の色と異なる色であるが、観測者には他と同じであるように未だに現れていず、“メタメリズム”は、２つ又はそれ以上の異なる色（即ち、条件等色）が観測者に同じ色であるように知覚される条件等色を用いることである）。この技術は、ＲＧＢビデオカメラの異なる特定の感度曲線及び典型液な人間の光学系をうまく利用する。４番目の原色の付加は、映写技師が、メタメリズムの性質のために、映画監督により元々意図されたように、よく映画を観に行くひと達が一般に知覚する４つの原色のスペクトル組み合わせにより映画を表示することを可能にする（即ち、同じ色として人間の眼は知覚するが、国際公開第２００４／０４０８９８９Ａ２号パンフレットに開示されている“映像カメラにおいて異なる値をもたらす”複数のスペクトルパワー分布が存在する）。二次プロジェクタを使用することにより、一次プロジェクタとの同期の問題がもたらされる。更に、１つの余分な原色のみの導入により、線形の、単独の又は従来の方程式の解によりだますメタメリズムの最も容易な生成であることが可能であるまさに一次元の機構がもたらされる。
【０００４】
従って、改善された映像記録防止システムの開発が要請されている。
【先行技術文献】
【特許文献】
【０００５】
【特許文献１】国際公開第２００４／０４０８９８９Ａ２号パンフレット
【発明の概要】
【発明が解決しようとする課題】
【０００６】
本発明は、人間の眼の知覚及びビデオカメラの検知がかなり異なる画像を生成するように制御された少なくとも４つの原色成分を有するプロジェクタを提供する。
【図面の簡単な説明】
【０００７】
【図１Ａ】本発明に従った６つの原色プリズムのプロジェクタの模式図である。
【図１Ｂ】本発明に従った６つの原色プリズムのプロジェクタの模式図である。
【図２】典型的な人間の光学系により知覚される、図１の６つの原色プリズムから投影される画像を示している。
【図３】映像記録装置により捕捉された、図２の投影された画像を示す図である。
【図４】映像記録装置により捕捉された、図１の６つの原色プリズムから投影された代替の画像を示す図である。
【発明を実施するための形態】
【０００８】
ここで図１Ａを参照するに、本発明に従ったプロジェクタが示されている。プロジェクタ１００は、反射器１０３を有する光源１０１と、光伝送装置１０５と、任意のフィルタドラム１０７（図１Ｂに詳細に示されている）と、リレー光学系１０９と、６つの原色プリズム１１１と、デジタルマイクロミラーデバイス、マイクロミラーデバイス、マイクロミラーアレイデバイス又はマイクロディスプレイデバイス等のように様々に呼ばれているイメージャ装置１０４、１０６、１０８、１１０、１１２、１１４とを有する。図１Ａに示すように、６つの原色プリズム１１１の色分割は、ダイクロイック１１３（ダイクロイックプリズム又はカラースプリッタとも呼ばれる）、及び異なる色の光成分に更に分割する付加的なビーム分割成分１１７を導入することにより達成されることが可能である。各々の原色は、その場合、対応するマイクロミラーデバイスに供給される。６つの減色を用いることにより、所定のリフレッシュレート又はフレームレートでより広い色域及びより大きい色制御が得られる。例示としての構成においては、シアン色、青色、黄色、緑色、赤色及び橙色成分が、それぞれのマイクロミラーデバイスの方に方向付けられ、それぞれのマイクロミラーデバイスの方から反射される。特に、マイクロミラーデバイス１０４は、光ビーム１０２の赤色成分を反射し、マイクロミラーデバイス１０６は、光ビーム１０２の緑色成分を反射し、マイクロミラーデバイス１０８は、光ビーム１０２の青色成分を反射し、マイクロミラーデバイス１１２は、光ビーム１０２の橙色成分を反射し、そしてマイクロミラーデバイス１１４は、光ビーム１０２のシアン色成分を反射する。動作中、光源１０１は、方向付け光伝送装置１０５に光ビーム１０２を出射し、次いで、潜在的な三次元（３Ｄ）能力のための偏光光学系を有することが可能であるフィルタドラム１０７を介して光を方向付ける。光ビーム１０２は、次いで、プリズム１１１内に光ビーム１０２を方向付けるリレー光学系１０９を通って進む。図１Ａはまた、プリズム１１１に光ビーム１０２を方向付けるようにリレー光学系と共に用いられることが可能であるミラー１１８の使用を示している。上記のように、光ビーム１０２の色成分は、その場合、続いて、マイクロミラー１０４、１０６、１０８、１１０、１１２及び１１４によりプリズム１１１の外部に方向付けられ、最終的には、表示面（図示せず）に方向付けられる。
【０００９】
ここで図１Ｂを参照するに、フィルタ装置又はフィルタドラム１０７（偏光中空円筒とも呼ばれる）が示されている。フィルタ装置又はフィルタドラム１０７は、半透明な材料から成る回転可能なドラム状構造であることが可能である。フィルタ装置は、平面的なホイール構造のような他の形状を有することが可能であるが、ドラム構造は、現在、好適であり、それ故、表現“ドラム”は、以下の説明で一貫して用いられている。ドラム１０７は、光が半透明な材料を透過して、ドラム１０７の外側面１５６を、即ち、ドラムの壁を通ってドラム１０７から出るように、ドラム１０７の内側面１５４に対して一般に垂直に光を方向付けることにより、光がドラム１０７を透過するようにする方向付け光伝送装置（又は、ライトパイプ）１０５に近接して位置付けられた平坦な物質のバンドとして示されている。図示されているように、ドラムは、径方向に互い違いのＰ偏光部分１５８とＳ偏光部分１６０とに分割されている。代替として、例えば、ドラム１０７は、径方向に交互の時計方向の又は反時計方向の偏光部分に分割されることが可能である。動作中、二次元（２Ｄ）画像が、方向付け光伝送装置１０５を介して、続いて、ドラムが中央の軸に関して回転されながら偏光ドラム１０７を介して、２Ｄ画像を伝送することにより３Ｄ画像に変換されることが可能である。ドラム１０７は、Ｐ偏光部分１５８及びＳ偏光部分１６０のそれぞれを画像が透過することによりＰ偏光か又はＳ偏光かのどちらかとして画像の各々のフレームを略偏光するように、制御された速度で回転される。３Ｄ画像は、ビューアの各々の眼にメガネを介して光のＰ偏光部分及びＳ偏光部分の一のみを可能にする偏光フィルタメガネ（図示せず）を、ビューアが装着するときに、投影画像のビューアにより知覚される。そのプロジェクタにおいては、各々の眼は１つ置きのフレームのみを見るため、通常の２Ｄモードとは対照的に、３Ｄモードで１秒当たりの約２倍のフレーム数が与えられる必要がある。本発明の異なる実施形態においては、フィルタ装置又はフィルタドラム１０７をまた、有する、開示されている特徴の組み合わせ全てを有する。
【００１０】
ここで図２を参照するに、プロジェクタ１００は、６つの原色が図示されている投影された画像を与えるように組み合わせて用いられるように、映画館のプロジェクションシステムに組み込まれることが可能である。図２は、木２０４に隣接して立っている人間２０２がいる画像２００を示している。図２は、典型的な視力を有するが、色覚異常でない、典型的な人間の光学系を有する、よく映画を観に行くひと達により画像が知覚されるときの投影された画像を示している。図２においては、投影される映画又は画像の製造業者により実質的に意図された形式で、よく映画を観に行くひと達が知覚することが理解できる。
【００１１】
ここで図３を参照するに、プリズム１００から出射され、図２に示す、よく映画を観に行くひと達が知覚するような画像２００を生成するように用いられる同じ光が、実質的に劣化された様式で映像記録装置により捕捉される。特に、図３は、木２０４に隣接して立っている人間２０２ばかりでなく、画像３００に統合された実質的に斜め模様の複数のストライプ３０２の存在も有する画像３００を示している。同じソースからの異なる画像についての異なる、人間であるよく映画を観に行くひと達の知覚と映像記録装置の検知との間のこのような二重性は、メタメリズム効果と呼ばれ、それらの光学系の異なるスペクトル知覚曲線に関連するものである。換言すれば、図３の背景における領域の一部の入りは、人間に対して同じ色を有するように現れるが、異なる領域は、異なるスペクトルパワー分布を意図的に有し、それ故、映像記録装置は、それらの領域を条件等色として認識しない。換言すれば、映像記録装置は、図３に示すように、異なる色を認識する。
【００１２】
映画を調整するとき、プリズム１００を有するプロジェクタと共に用いるために、よく映画を観に行くひと達ではなく映像記録装置により検知されるメタメリズム効果（斜め模様のストライプ３０２等）は、異なる画像又は劣化の多様さの何れかの数が与えられることが可能であるように、デジタルマイクロミラーデバイス１０４、１０６、１０８、１１０、１１２及び１１４を制御することにより生成されることが可能である。
【００１３】
ここで図４を参照するに、プリズム１００を有するプロジェクタにより投影される画像が、よく映画を観に行くひと達が画像２００と実質的に同じ画像を見ることを可能にする一方、映像記録装置は異なる画像を捕捉することが可能であることが示されている。特に、メタメリズム効果が、テキスト４０２及び／又はグラフィクス４０４の形式で読み易いメッセージを有する画像４００を映像記録装置が捕捉することを可能にするように用いられることが可能である。画像４００においては、テキスト４０２は“ＦＢＩが警告する”であり、グラフィクス４０４は著作権マークである。それらの種類の劣化は、よく映画を観に行くひと達が見る映画についてその映画の監督が意図したやり方に関して捕捉された画像の品質を低下させるばかりでなく、捕捉された映像の違法コピーに対してはっきりと警告する役割を果たす。しかしながら、本発明の代替の実施形態においては、メタメリズム効果は、よく映画を観に行くひと達が見る画像と異なる色又は不快な色のみを有する、映像記録装置により捕捉された画像を生成するように用いられることが可能である。
【００１４】
本発明のプリズム１００は単独のプロジェクタに組み込まれているため、アライメント、同期に伴う問題は存在しない、又は、単独の他像を生成するように２つのプロジェクタを同時に操作する問題は存在しない。２つ又はそれ以上のプロジェクタではなく、１つのプロジェクタを動作させることにより、映写技師の労力は少なくて済み、高品質の画像の生成において高信頼性を有する。更に、図１乃至４は、単独のプロジェクタにおいて６つの原色プリズム１００を用いて生成されるメタメリズム効果について示している一方、本発明は、より一般には、単独のプロジェクタにおいて４つ又はそれ以上の原色を用いることを有する。しかしながら、４つの原色プロジェクタが６つの原色プリズム１００を有する６つの原色プロジェクタと比較されるとき、６つの原色プロジェクタはより広い色域を与えることが理解できる。更に、６つの原色プロジェクタはまた、赤色、緑色及び青色成分のみを捕捉する人間によっては容易に回避されることのない比較的安全なメタメリズム効果を与える、制限されない多くの数の色の組み合わせを提供することができる。特に、捕捉された画像からメタメリズム効果を外すことは、複雑な多元式解析を必要とする。手短にいうと、メタメリズムと組み合わされた６つの原色プロジェクタを用いることにより、違法記録における成功の可能性を低くすることができる。最後に、本発明においては、上記でデジタルマイクロミラーデバイスを用いることに関して説明しているが、本発明は、投影技術の応答時間に拘わりなく、ＬＣＤ、ＳＸＲＤ、Ｄ−ＩＬＤ及びＬＣｏＳ等の他の技術に同様に適用することが可能であり、それらの他の技術と協働されることが可能である。
【００１５】
更に、本発明の他の特徴は、心理視覚的実験からのルックアップテーブルを生成することである。そのルックアップテーブル（プロジェクタの一部であることが可能である）は、意図的に、人間により知覚される一部の選択された色についての異なるスペクトルパワー分布からかなり多くの条件等色を有することが可能である。一部の意図された知覚される色についての３つ以上の条件等色を有すること及び用いることは、映像記録装置が、人間の眼により知覚される意図された色に関連する異なるスペクトルパワー分布を異なるように検知する。プロジェクタは更に、３つ以上の異なるスペクトルパワー分布を用いるプロセッサを有することが可能である。３つ以上の条件等色を用いることにより、全ての映像記録装置が少なくとも１つの対の条件等色を区別することができる可能性が高くなる。
【００１６】
上記においては、本発明を実行する可能性の一部のみについて説明している。多くの他の実施形態が、本発明の範囲内で且つ主旨において可能である。例えば、プロジェクタの他の構成要素と組み合わされてダイクロイック又はカラースプリッタの機能的装置としての役割を果たすことができる他の装置又は構成要素が本発明の実施形態として検討されることが可能である。また、例えば、シアン色、青色、黄色、緑色及び赤色等の５原色を用いることが本発明の実施形態である。従って、上記説明は、制限的ではなく、例示としてのものであるとみなされ、本発明の範囲は、同時提出の特許請求の範囲により与えられるものであるとみなされることが意図されている。
【図１Ａ】
0005512516.tif 000002
【図１Ｂ】
0005512516.tif 000003
【図２】
0005512516.tif 000004
【図３】
0005512516.tif 000005
【図４】
0005512516.tif 000006